(57)【要約】【課題】音声情報の安定した伝達が可能であり、装用感がよく、更には美容上の問題も解消する振動子保持構造を提供する。【解決手段】音声情報を人体に伝達する振動子１をケース２内部に収容する振動子保持構造であって、振動子１は、ジンバル機構により、ケース２内部において直交する２軸回りに揺動可能に支持されており、ケース２の開口部に吸盤４が設けられた振動子保持構造。【選択図】  図１
2004274544.tif 000002
【特許請求の範囲】
【請求項１】
音声情報を人体に伝達する振動子をケース内部に収容する振動子保持構造であって、
前記振動子は、ジンバル機構により、前記ケース内部において直交する２軸回りに揺動可能に支持されており、
前記ケースの開口部に吸盤が設けられた振動子保持構造。
【請求項２】
前記ケースの底部に連通孔が形成され、該連通孔に接続された内部空間を有する弾性変形可能な袋状体が設けられた請求項１に記載の振動子保持構造。
【請求項３】
前記ケースに対して伸縮自在且つ回転自在に設けられたフック状の係止具を更に備える請求項１又は２に記載の振動子保持構造。
【発明の詳細な説明】
【０００１】
【発明の属する技術分野】
本発明は、振動子保持構造に関し、より詳しくは、音声情報を人体に伝達する振動子をケース内部に収容する振動子保持構造に関する。
【０００２】
【従来の技術】
音声情報を人体に伝達する振動子として、難聴者用の補聴器に用いられるものが知られている。補聴器には、音の振動が鼓膜を介して脳の聴覚器官に伝達される気導型の補聴器と、音の振動が鼓膜を介さずに頭蓋骨などから直接人体に伝わる骨導型の補聴器とがあり、振動子を人体の所定部位に取り付けて使用する。最近では、振動子を介して超音波振動を脳の聴覚器官に伝達することにより、音声情報の伝達を可能にした構成も知られている（特許文献１及び２）。
特許文献１に開示された振動子保持構造の一例を図３に示す。図３（ａ）に示すように、振動子５０は、ケース５２に収容されており、ばね５４の一端に取り付けられている。ばね５４の他端側は、台座５６の内周面に沿って摺動可能な半球状アダプタ５８に接続されている。台座５６は、スライド固定ネジ６０により、ケース５２の内面における任意の位置に固定することができる。この振動子５０は、例えば図３（ｂ）に示すように、スプリング式バンド６２の両端にケース５２を固定して額にかけることにより、人体の所定の部位に取り付けられる。
この振動子保持構造によれば、振動子５０がばね５２により人体に押し付けられると共に、半球状アダプタ５８の摺動によりばね５２の押圧方向を変化させることができる。
【０００３】
【特許文献１】
特開２００１−３２０７９９号公報（第１頁、第９図）
【０００４】
【特許文献２】
特開２００２−３００７００号公報（第１頁、第９図）
【０００５】
【発明が解決しようとする課題】
ところが、上述した従来の振動子保持構造によれば、乳様突起などのように表面形状が複雑な部位に取り付ける際に、振動子５０の向きが取付部位の形状に追従しないことがあった。このため、装用感だけでなく、音声情報の伝達精度や振動エネルギーの伝達効率について更に改良の余地があった。特に、骨導型振動子の場合には、取り付けた振動子５０の位置が僅かにずれるだけで、音の大きさ、音色、ピッチなどが大きく変化するため、上記課題に対するニーズが高まっていた。更に、バンド６２によって振動子５２を取り付けるようにしているので、人目に付きやすく、美容上の観点からも改善が求められていた。
【０００６】
本発明は、これらの点に鑑みなされたものであって、音声情報の安定した伝達が可能であり、装用感がよく、更には美容上の問題も解消する振動子保持構造の提供を目的とする。
【０００７】
【課題を解決するための手段】
本発明の前記目的は、音声情報を人体に伝達する振動子をケース内部に収容する振動子保持構造であって、前記振動子は、ジンバル機構により、前記ケース内部において直交する２軸回りに揺動可能に支持されており、前記ケースの開口部に吸盤が設けられた振動子保持構造により達成される。
【０００８】
この振動子保持構造は、前記ケースの底部に連通孔が形成され、且つ、該連通孔に接続された内部空間を有する弾性変形可能な袋状体が設けられていることが好ましい。
【０００９】
また、前記ケースに対して伸縮自在且つ回転自在に設けられたフック状の係止具を更に備えることができる。
【００１０】
【発明の実施の形態】
以下、本発明の実態形態について添付図面を参照して説明する。図１は、本発明の一実施形態に係る振動子保持構造を示す断面図である。
【００１１】
図１において、円筒状のケース２の内部には振動子１が収容されており、ケース２の開口縁に吸盤４が取り付けられている。振動子１は、ジンバル機構により、互いに直交する２軸の回りに揺動可能に支持されている。即ち、振動子１は、振動面を露出させるように第１の枠体１０に固定されており、第１の枠体１０は、第１の支持軸１２を介して第２の枠体１４に揺動自在に支持されている。そして、第２の枠体１４は、第１の支持軸１２と直交する第２の支持軸１６を介してケース２の内部に揺動自在に支持されている。振動子１の振動面は、ケース２の開口からわずかに突出しており、吸盤４を所定の取付部位に吸着させると、振動子１の振動面が被吸着面に接触して押圧するように構成されている。
【００１２】
また、ケース２の底部（図の上部）中央には連通孔２ａが形成されており、この連通孔２ａに球状の袋状体２０が結合されている。袋状体２０はゴム材などの弾性材からなり、押圧により弾性変形可能に構成されている。袋状体２０の内部空間は、連通孔２ａを介してケース２の内部と連通している。
【００１３】
このような振動子保持構造によれば、袋状体２０を手で摘んだ状態で人体の所定の取付部位に吸盤４を押し付けると、振動子１の振動面が人体に当接する。振動子１は、ジンバル機構により２軸回りに揺動可能に支持されているので、取付部位の表面が複雑な３次元曲面であっても、振動子１をこの曲面に適合した姿勢にすることができ、振動面の全体を人体に確実に接触させることができる。この後、摘んでいた手を離すと、袋状体２０の形状復元力によりケース２の内部が負圧になって吸着力が得られるので、吸盤４による振動子１の取り付けを確実に行うことができ、振動子１の経時的な位置ずれや姿勢の変化を確実に防止することができる。
【００１４】
この結果、良好な装用感が得られるだけでなく、音声情報の伝達精度が向上し、更には振動エネルギーの伝達効率向上による省電力化を図ることができる。また、小型化が可能であると共に、従来のように振動子を取り付けるためのバンドが不要になるので、美容上の問題も解消することができる。
【００１５】
振動子１を取り外す際には、袋状体２０を手で摘むことにより、ケース２内部の負圧が低下し、吸盤４を容易に取り外すことができる。
【００１６】
以上、本発明の一実施形態について詳述したが、例えば、振動子を乳様突起に取り付ける場合には、図２に示すように、フック状の係止具３０をケース２の外面に設け、この係止具３０を耳の後ろに掛けることにより、美容上の問題を生じさせることなく、振動子１の取り付けをより確実に行うことができる。係止具３０は、ゴム材やバネなどからなる伸縮部３０ａおよびケース２と螺合するネジ部３０ｂを備えることにより、ケース２に対して伸縮自在で且つ回転自在に構成されており、これによって、装用感や取付安定性に個人差が生じるのを防止することができる。尚、図示していないが、耳穴に挿入されるイヤホン状の取付部を係止具３０の先端に設けてもよい。
【００１７】
【発明の効果】
以上の説明から明らかなように、本発明によれば、音声情報の安定した伝達が可能であり、装用感がよく、更には美容上の問題も解消する振動子保持構造を提供することができる。
【図面の簡単な説明】
【図１】本発明の一実施形態に係る振動子保持構造を示す断面図である。
【図２】本発明の他の実施形態に係る振動子保持構造を示す側面図である。
【図３】従来の振動子保持構造を示す断面図及び斜視図である。
【符号の説明】
１  振動子
２  ケース
２ａ  連通孔
４  吸盤
１０  第１の枠体
１２  第１の支持軸
１４  第２の枠体
１６  第２の支持軸
２０  袋状体
３０  係止具
【図１】
2004274544.tif 000003
【図２】
2004274544.tif 000004
【図３】
2004274544.tif 000005